(57)【要約】【課題】電源ＯＦＦ時の消費電力が極めて小さく、かつ電源ＯＦＦ時にメモリカードスロットへメモリカードを挿入すると電源がＯＮの状態になる電子機器を提供する。【解決手段】トランジスタＱ１は、電源装置１の出力電圧が待機電圧であってもメモリカードスロット３にメモリカードが挿入されるとエミッタがＧＮＤに短絡されてベース電流が流れてＯＮ状態になる。トランジスタＱ２は、電源装置１の出力電圧が定格電圧である場合には、ベース電流が流れてＯＮ状態になり、電源装置１の出力電圧が待機電圧である場合には、ベース電流が流れずＯＦＦ状態になる。ＲＣ積分回路１３１の時定数は、電源装置１の出力電圧が待機電圧から定格電圧になった時点からトランジスタＱ２がＯＮ状態になる電圧までトランジスタＱ２のベースの電圧が上昇するのに約１秒間かかるように設定されている。【選択図】        図１
2005010876.tif 000002
【特許請求の範囲】
【請求項１】
電源装置と、電源スイッチの操作状態を検出して前記電源装置の定格電圧出力状態と待機電圧出力状態とを切換制御する手段を有する電源制御回路と、メモリカードに格納されている電子データを読み込む手段を有するメモリカードスロットと、前記電源装置の出力電圧が定格電圧のときに動作するマイコン制御装置とを備えた電子機器であって、
前記電源制御回路は、前記電源装置の出力電圧が待機電圧であっても前記メモリカードスロットにメモリカードが所定の挿入位置まで挿入されたことを検出可能なメモリカード検出回路と、
該メモリカード検出回路にて前記電源装置の出力電圧が待機電圧の時に前記メモリカードスロットにメモリカードが所定の挿入位置まで挿入されたことを検出した際に、前記電源装置を定格電圧出力状態に制御する自動電源ＯＮ制御回路とを有している、ことを特徴とした電子機器。
【請求項２】
請求項１において、前記電源装置は、電源制御端子を有し、前記電源制御端子を所定の電位にすることで定格電圧出力状態となり、前記電源制御端子をハイインピーダンスにすることで待機電圧出力状態となる構成を成しており、
前記電源制御回路は、前記電源スイッチの接点が構成されている間、前記電源制御端子が所定の電位となる回路構成を成す電源スイッチ回路を有し、
前記マイコン制御装置は、前記電源装置の出力電圧が定格電圧になってから所定時間後に電子機器の制御が可能な状態となり、電子機器の制御が可能な状態となった時点で前記電源制御端子を所定の電位に保持する電源制御保持手段を有し、
前記自動電源ＯＮ制御回路は、前記メモリカードスロットにメモリカードが所定の挿入位置まで挿入された時点から少なくとも前記所定時間を超える時間、前記電源制御端子を所定の電位にした後、前記電源制御端子をハイインピーダンスにする回路構成を成している、ことを特徴とした電子機器。
【請求項３】
請求項２において、前記所定の電位は、前記電源装置のＧＮＤ電位であり、前記自動電源ＯＮ制御回路は、コレクタに前記電源制御端子が接続され、ベースに前記電源装置の出力電圧がベース電流制限抵抗を介して印加されており、前記メモリカードスロットにメモリカードが所定の挿入位置まで挿入されている間、エミッタがＧＮＤに短絡されてベース電流が流れてＯＮ状態になる第１のトランジスタと、
コレクタに前記第１のトランジスタのベースが接続され、エミッタがＧＮＤに接続され、前記電源装置の出力電圧が定格電圧のときは、ベース電流が流れてＯＮ状態となり、前記電源装置の出力電圧が待機電圧のときは、ベース電流が流れずＯＦＦ状態となる如く前記電源装置の出力電圧が分圧されてベースに印加されている第２のトランジスタと、
前記電源装置の出力電圧が待機電圧から定格電圧になった時点で、前記第２のトランジスタのベース電圧が前記第２のトランジスタがＯＮ状態になる電圧に上昇するまでの時間が、少なくとも前記所定の時間を超える時間に設定された第１の遅延回路とを有している、ことを特徴とした電子機器。
【請求項４】
請求項３において、前記マイコン制御装置は、前記電源スイッチが操作されたことを検出した後、前記電源制御保持手段によりＧＮＤ電位に保持している前記電源制御端子をハイインピーダンスにする電源制御停止手段を有し、前記電源制御回路は、前記メモリカードスロットにメモリカードが所定の挿入位置まで挿入された状態で前記電源スイッチを操作して前記電源装置を待機電圧出力状態にした際に前記電源装置を待機電圧出力状態に保持する待機状態保持回路を有している、ことを特徴とした電子機器。
【請求項５】
請求項４において、前記待機状態保持回路は、前記メモリカードスロットにメモリカードが所定の挿入位置まで挿入された状態で、かつ前記電源装置の出力電圧が待機電圧になっている間、前記第１のトランジスタのベース電流を遮断して前記第１のトランジスタをＯＦＦ状態に保持する回路構成を成している、ことを特徴とした電子機器。
【請求項６】
請求項５において、前記待機状態保持回路は、コレクタに前記第１のトランジスタのベースが接続され、ベースに前記電源装置の出力電圧が印加されており、前記メモリカードスロットにメモリカードが所定の挿入位置まで挿入されている間、エミッタがＧＮＤに短絡されてベース電流が流れてＯＮ状態になる第３のトランジスタと、
コレクタに前記第３のトランジスタのベースが接続され、エミッタがＧＮＤに接続され、前記電源装置の出力電圧が定格電圧のときは、ベース電流が流れてＯＮ状態となり、前記電源装置の出力電圧が待機電圧のときは、ベース電流が流れずＯＦＦ状態となる如く前記電源装置の出力電圧が分圧されてベースに印加されている第４のトランジスタと、
前記第３のトランジスタがＯＮ状態になった時点から一定時間の間、前記第１のトランジスタのベース電圧がＧＮＤ電位になるのを遅延させる第２の遅延回路とを有している、ことを特徴とした電子機器。
【発明の詳細な説明】
【０００１】
【発明の属する技術分野】
本願発明は、メモリカードスロットを備えた電子機器に関する。
【０００２】
【従来の技術】
メモリカードスロットを備えた電子機器の一例としては、メモリカードスロットを備えた記録装置が公知である。従来、インクジェット式記録装置等の一般的な記録装置は、パーソナルコンピュータ等の情報処理装置がデータ伝送可能に接続された状態で、情報処理装置から伝送される記録データを記録紙等の被記録材に記録することが可能な構成を成していた。しかし、近年、メモリカードスロットを備え、情報処理装置を介することなくメモリカードスロットに挿入されたメモリカードに格納されている記録データを直接被記録材に記録することが可能な記録装置が公知であり、広く普及しつつある（例えば、特許文献１参照）。
【０００３】
ところで、例えば、テレビに接続してテレビ番組を録画・再生する機能を有する一般的な家庭用のビデオテープレコーダは、ビデオテープレコーダが電源ＯＦＦの状態でビデオテープを挿入すると、自動的に電源ＯＮの状態になるのが一般的であり、非常に快適で便利である。一般的なビデオテープレコーダは、タイマー録画予約やリモコンでの操作に対応するために電源ＯＦＦの状態でも内部のマイコン制御装置は動作している。そのため、マイコン制御装置がビデオカセットテープの挿入状態を検出し、ビデオカセットテープが挿入された際に電源がＯＦＦ状態である場合には、電源をＯＮ状態に制御するようになっている。
【０００４】
【特許文献１】
特開２００２−２７３９７７号公報
【０００５】
【発明が解決しようとする課題】
例えば、前述した記録装置等のメモリカードスロットを備えた電子機器において、一般的なビデオテープレコーダと同様に、記録装置が電源ＯＦＦの状態でメモリカードスロットにメモリカードを挿入すると、自動的に電源がＯＮ状態になれば、非常に便利で快適であると言える。しかしながら、例えば、前述した記録装置のように、電源ＯＮの状態で使用している時間と比較して、電源ＯＦＦで使用しない時間の方が圧倒的に長いような電子機器においては、電源ＯＦＦ時の消費電力を一定の電力以下に抑える必要がある。そのため、一般的に留守録機能やリモコンによる操作が可能で、電源ＯＦＦ時にもマイコン制御装置を動作させておく必要があるビデオテープレコーダと異なり、一般的な記録装置は、電源ＯＦＦ時にマイコン制御装置を動作させておく必要がないことから、電源ＯＦＦ時には、マイコン制御装置が停止しているのが一般的である。したがって、このような電子機器において、電源がＯＦＦ状態である場合にマイコン制御装置でメモリカードの挿入状態を検出し、メモリカードが挿入された際にマイコン制御装置で電源をＯＮ状態に制御するために、電源ＯＦＦの状態でもマイコン制御装置を動作させておくと、電子機器の電源ＯＦＦ時の消費電力が大幅に増大するという問題が生じることになる。
【０００６】
本願発明は、このような状況に鑑み成されたものであり、その課題は、電源ＯＦＦ時の消費電力が極めて小さく、かつ電源ＯＦＦ時にメモリカードスロットへメモリカードを挿入すると電源がＯＮの状態になる電子機器を提供することにある。
【０００７】
【課題を解決するための手段】
上記課題を達成するため、本願発明の第１の態様は、電源装置と、電源スイッチの操作状態を検出して前記電源装置の定格電圧出力状態と待機電圧出力状態とを切換制御する手段を有する電源制御回路と、メモリカードに格納されている電子データを読み込む手段を有するメモリカードスロットと、前記電源装置の出力電圧が定格電圧のときに動作するマイコン制御装置とを備えた電子機器であって、前記電源制御回路は、前記電源装置の出力電圧が待機電圧であっても前記メモリカードスロットにメモリカードが所定の挿入位置まで挿入されたことを検出可能なメモリカード検出回路と、該メモリカード検出回路にて前記電源装置の出力電圧が待機電圧の時に前記メモリカードスロットにメモリカードが所定の挿入位置まで挿入されたことを検出した際に、前記電源装置を定格電圧出力状態に制御する自動電源ＯＮ制御回路とを有している、ことを特徴とした電子機器である。
【０００８】
電源装置の出力電圧が定格電圧のときには、マイコン制御装置が動作している状態であり、電子機器の電源がＯＮ状態になる。マイコン制御装置は、メモリカードスロットに挿入されたメモリカードに格納されているデータの読み込みを実行することができるようになる。一方、電源装置の出力電圧が待機電圧のときには、電子機器の電源がＯＦＦ状態になり、マイコン制御装置は停止した状態になるが、メモリカード検出回路によってメモリカードスロットにメモリカードが所定の挿入位置まで挿入されたことが検出可能な状態になっている。そして、自動電源ＯＮ制御回路は、メモリカード検出回路にて電源装置の出力電圧が待機電圧の時にメモリカードスロットにメモリカードが所定の挿入位置まで挿入されたことを検出した時点で電源装置を定格電圧出力状態に制御する。したがって、電源装置の出力が待機電圧出力状態、つまり、電子機器の電源がＯＦＦでマイコン制御装置が停止しており、ほとんど電力を消費しない状態において、メモリカードスロットにメモリカードが挿入された時点で、自動電源ＯＮ制御回路によって電源装置の出力電圧が定格電圧に制御されて電子機器の電源が自動的にＯＮ状態になる。
【０００９】
これにより、本願発明の第１の態様に示した電子機器によれば、電子機器の電源がＯＦＦ状態でマイコン制御装置が停止してほとんど電力を消費しない状態で、メモリカードスロットにメモリカードを挿入すると、自動電源ＯＮ制御回路によって電源装置の出力電圧が定格電圧に制御されて電子機器の電源が自動的にＯＮ状態になるので、電源ＯＦＦ時の消費電力が極めて小さく、かつ電源ＯＦＦ時にメモリカードスロットへメモリカードを挿入すると電源がＯＮの状態になる電子機器を提供することができるという作用効果が得られる。また、それによって、電子機器の操作の簡素化を図ることができるとともに、メモリカードスロットにメモリカードが所定の挿入位置まで正確に挿入されたことを容易に知ることができるようになる。
【００１０】
本願発明の第２の態様は、前述した第１の態様において、前記電源装置は、電源制御端子を有し、前記電源制御端子を所定の電位にすることで定格電圧出力状態となり、前記電源制御端子をハイインピーダンスにすることで待機電圧出力状態となる構成を成しており、前記電源制御回路は、前記電源スイッチの接点が構成されている間、前記電源制御端子が所定の電位となる回路構成を成す電源スイッチ回路を有し、前記マイコン制御装置は、前記電源装置の出力電圧が定格電圧になってから所定時間後に電子機器の制御が可能な状態となり、電子機器の制御が可能な状態となった時点で前記電源制御端子を所定の電位に保持する電源制御保持手段を有し、前記自動電源ＯＮ制御回路は、前記メモリカードスロットにメモリカードが所定の挿入位置まで挿入された時点から少なくとも前記所定時間を超える時間、前記電源制御端子を所定の電位にした後、前記電源制御端子をハイインピーダンスにする回路構成を成している、ことを特徴とした電子機器である。
【００１１】
電子機器の電源がＯＦＦの状態、つまり、電子機器の電源装置の出力電圧が待機電圧の状態で電源スイッチを操作することによって、電源スイッチの接点が構成されると、電源装置の電源制御端子が所定の電位となり、電源装置の出力電圧が定格電圧になってマイコン制御装置が動作し、電子機器の電源がＯＮ状態になる。マイコン制御装置は、電子機器の故障診断等のイニシャル処理制御を実行するのに必要な所定時間経過後に電子機器の制御を実行可能な状態になる。その時点でマイコン制御装置は、電源装置の電源制御端子を所定の電位に保持し、それによって、電源スイッチの操作後に電源スイッチの接点が構成されていない状態になっても電源装置の出力電圧が定格電圧に保持されて電子機器の電源ＯＮ状態が維持される。
【００１２】
一方、電子機器の電源がＯＦＦの状態、つまり、電子機器の電源装置の出力電圧が待機電圧の状態でメモリカードスロットにメモリカードを挿入すると、自動電源ＯＮ制御回路によって、電源スイッチ操作時と同様に電源装置の電源制御端子が所定の電位となり、電源装置の出力電圧が定格電圧になって電子機器の電源がＯＮ状態になる。また、自動電源ＯＮ制御回路は、少なくともマイコン制御装置が電子機器の故障診断等のイニシャル処理制御を実行するのに必要な所定時間を超える時間、メモリカードスロットにメモリカードが所定の挿入位置まで挿入された時点から電源制御端子を所定の電位にした後、電源制御端子をハイインピーダンスにする回路構成を成している。上述したように、マイコン制御装置は、電子機器の故障診断等のイニシャル処理制御を実行するのに必要な所定時間を経過した時点で、電源装置の電源制御端子を所定の電位に保持する。それによって、自動電源ＯＮ制御回路が前記所定時間経過後に電源制御端子をハイインピーダンスにしてもマイコン制御装置によって電源制御端子が所定の電位に保持されるので、電源装置の出力電圧が定格電圧に保持されて電子機器の電源ＯＮ状態が維持される。
【００１３】
このように、自動電源ＯＮ制御回路は、電子機器の電源ＯＦＦ状態から電源スイッチを操作することによって前記所定時間、電源スイッチの接点が構成されて電源装置の電源制御端子が所定の電位になるのと同じように、電子機器の電源ＯＦＦ状態でメモリカードスロットにメモリカードが挿入された時点で前記所定時間、電源装置の電源制御端子が所定の電位になる。そして、電源制御端子が所定の電位になっている間にマイコン制御装置によって電源制御端子が所定の電位に保持されるので、自動電源ＯＮ制御回路は、前記所定時間経過後、電源スイッチの接点が構成されていない状態と同様に、電源装置の電源制御端子をハイインピーダンスにする。つまり、自動電源ＯＮ制御回路は、電源スイッチの操作によって電源装置の電源制御端子を所定の電位にするのと同じことを、メモリカードスロットにメモリカードが挿入された時点で電源装置の電源制御端子に対して行う回路構成を成している。
【００１４】
したがって、電子機器の電源がＯＦＦ状態にメモリカードスロットにメモリカードが挿入すると、電源スイッチを操作した場合と同様に電源装置の出力電圧が定格電圧に制御されて電子機器の電源が自動的にＯＮ状態になる。また、前記所定時間経過後にメモリカードスロットからメモリスロットを抜いても電源装置の電源制御端子がマイコン制御装置によって所定の電位に保持されているので、電子機器の電源はＯＮ状態のまま維持される。
【００１５】
本願発明の第３の態様は、前述した第２の態様において、前記所定の電位は、前記電源装置のＧＮＤ電位であり、前記自動電源ＯＮ制御回路は、コレクタに前記電源制御端子が接続され、ベースに前記電源装置の出力電圧がベース電流制限抵抗を介して印加されており、前記メモリカードスロットにメモリカードが所定の挿入位置まで挿入されている間、エミッタがＧＮＤに短絡されてベース電流が流れてＯＮ状態になる第１のトランジスタと、コレクタに前記第１のトランジスタのベースが接続され、エミッタがＧＮＤに接続され、前記電源装置の出力電圧が定格電圧のときは、ベース電流が流れてＯＮ状態となり、前記電源装置の出力電圧が待機電圧のときは、ベース電流が流れずＯＦＦ状態となる如く前記電源装置の出力電圧が分圧されてベースに印加されている第２のトランジスタと、前記電源装置の出力電圧が待機電圧から定格電圧になった時点で、前記第２のトランジスタのベース電圧が前記第２のトランジスタがＯＮ状態になる電圧に上昇するまでの時間が、少なくとも前記所定の時間を超える時間に設定された第１の遅延回路とを有している、ことを特徴とした電子機器である。
【００１６】
第１のトランジスタは、コレクタに電源装置の電源制御端子が接続されており、ベースには、電源装置の出力電圧がベース電流制限抵抗を介して印加されており、メモリカードスロットにメモリカードが挿入されている状態でエミッタがＧＮＤに接続される。第１のトランジスタのエミッタがＧＮＤに接続されるとベース電流が流れてＯＮ状態になり、コレクタ電流が流れて電源制御端子がＧＮＤ電位になり、電源装置の出力電圧が定格電圧となる。
【００１７】
第２のトランジスタは、コレクタに第１のトランジスタのベースが接続されており、エミッタがＧＮＤに接続されている。また、第２のトランジスタは、電源装置の出力電圧が定格電圧のときは、ベース電流が流れてＯＮ状態になり、電源装置の出力電圧が待機電圧のときは、ベース電流が流れずＯＦＦ状態になるように、電源装置の出力電圧が分圧されてベースに印加されている。第２のトランジスタがＯＮ状態になると、コレクタ電流が流れて第１のトランジスタのベースがＧＮＤ電位になり、第１のトランジスタのベース電流が遮断されて第１のトランジスタがＯＦＦ状態になる。第１の遅延回路は、電源装置の出力電圧が待機電圧から定格電圧になった時点で、ＯＦＦ状態の第２のトランジスタが前記所定の時間を経過するまでＯＮ状態にならないようにするために設けられている。
【００１８】
メモリカードスロットにメモリカードが挿入された時点で、第１のトランジスタのエミッタがＧＮＤに接続され、第１のトランジスタのベース電流が流れてＯＮ状態になり、電源装置の出力電圧が定格電圧となる。電源装置の出力電圧が定格電圧となると、マイコン制御装置が動作し始め、前記所定の時間経過後に電源装置の電源制御端子がマイコン制御装置によってＧＮＤ電位に保持される。また、電源装置の出力電圧が定格電圧となると、第２のトランジスタのベース電圧が第１の遅延回路の遅延時間分遅れて第２のトランジスタがＯＮ状態になる電圧まで上昇する。第１の遅延回路の遅延時間は、第２のトランジスタのベース電圧が第２のトランジスタがＯＮ状態になる電圧に上昇するまでの時間が、少なくとも前記所定の時間を超える時間に設定されているので、電源装置の電源制御端子がマイコン制御装置によってＧＮＤ電位に保持された後に第２のトランジスタがＯＮ状態になる。
【００１９】
そして、第２のトランジスタがＯＮ状態になることによって、第１のトランジスタのベース電流が遮断され、メモリカードスロットのメモリカードの有無に関わらず第１のトランジスタがＯＦＦ状態になり、第１のトランジスタのコレクタ電流が流れない状態になる。第１のトランジスタがＯＦＦ状態になって、電源装置の電源制御端子が接続されている第１のトランジスタのコレクタがハイインピーダンスになっても既にマイコン制御装置が動作した状態で電源装置の電源制御端子をＧＮＤ電位に保持しているので、電源装置の出力電圧が定格電圧に維持される。したがって、この状態でメモリカードスロットからメモリカードを抜いても電子機器の電源ＯＮ状態が維持されることになる。
【００２０】
本願発明の第４の態様は、前述した第３の態様において、前記マイコン制御装置は、前記電源スイッチが操作されたことを検出した後、前記電源制御保持手段によりＧＮＤ電位に保持している前記電源制御端子をハイインピーダンスにする電源制御停止手段を有し、前記電源制御回路は、前記メモリカードスロットにメモリカードが所定の挿入位置まで挿入された状態で前記電源スイッチを操作して前記電源装置を待機電圧出力状態にした際に前記電源装置を待機電圧出力状態に保持する待機状態保持回路を有している、ことを特徴とした電子機器である。
【００２１】
電子機器の電源がＯＮの状態で電源スイッチを操作すると、マイコン制御装置は、ＧＮＤ電位に保持していた電源制御端子をハイインピーダンスにし、それによって、電源装置の出力電圧が待機電圧となり、電子機器の電源がＯＦＦとなる。前述した第３の態様においては、メモリカードスロットにメモリカードを挿入したままの状態で電子機器の電源スイッチを操作して電源をＯＦＦ状態にすると、第２のトランジスタのベース電圧が低下し、第２のトランジスタがＯＦＦ状態になった時点で第１のトランジスタのベース電流が流れて第１のトランジスタがＯＮ状態になる。第１のトランジスタがＯＮ状態になることによって、電源装置の電源制御端子がＧＮＤ電位になり、再び電子機器の電源がＯＮ状態になる。つまり、メモリカードスロットにメモリカードを挿入したままの状態では、電子機器の電源をＯＦＦすることができないことになる。そこで、メモリカードスロットにメモリカードが所定の挿入位置まで挿入された状態で電源スイッチを操作して電源装置を待機電圧出力状態にした際に電源装置を待機電圧出力状態に保持する待機状態保持回路を設けることによって、メモリカードスロットにメモリカードを挿入したままの状態で電子機器の電源をＯＦＦすることができるようになる。
【００２２】
本願発明の第５の態様は、前述した第４の態様において、前記待機状態保持回路は、前記メモリカードスロットにメモリカードが所定の挿入位置まで挿入された状態で、かつ前記電源装置の出力電圧が待機電圧になっている間、前記第１のトランジスタのベース電流を遮断して前記第１のトランジスタをＯＦＦ状態に保持する回路構成を成している、ことを特徴とした電子機器である。
【００２３】
メモリカードスロットにメモリカードを挿入した状態では、電源装置の出力電圧が定格電圧であっても待機電圧であっても第２のトランジスタがＯＮ状態になるまでの間、常に第１のトランジスタがＯＮ状態になり、電源装置の電源制御端子がＧＮＤ電位になって電源装置の出力電圧が定格電圧になって電子機器の電源がＯＮになってしまう。そこで、メモリカードスロットにメモリカードが所定の挿入位置まで挿入された状態で、かつ電源装置の出力電圧が待機電圧になっている間、第１のトランジスタのベース電流を遮断することによって、その間は、第１のトランジスタがＯＦＦ状態に維持されるので、メモリカードスロットにメモリカードが挿入されたままの状態で電子機器の電源をＯＦＦにすることができるようになる。
【００２４】
本願発明の第６の態様は、前述した第５の態様において、前記待機状態保持回路は、コレクタに前記第１のトランジスタのベースが接続され、ベースに前記電源装置の出力電圧が印加されており、前記メモリカードスロットにメモリカードが所定の挿入位置まで挿入されている間、エミッタがＧＮＤに短絡されてベース電流が流れてＯＮ状態になる第３のトランジスタと、コレクタに前記第３のトランジスタのベースが接続され、エミッタがＧＮＤに接続され、前記電源装置の出力電圧が定格電圧のときは、ベース電流が流れてＯＮ状態になり、前記電源装置の出力電圧が待機電圧のときは、ベース電流が流れずＯＦＦ状態となる如く前記電源装置の出力電圧が分圧されてベースに印加されている第４のトランジスタと、前記第３のトランジスタがＯＮ状態になった時点から一定時間の間、前記第１のトランジスタのベース電圧がＧＮＤ電位になるのを遅延させる第２の遅延回路とを有している、ことを特徴とした電子機器である。
【００２５】
第３のトランジスタは、コレクタに第１のトランジスタのベースが接続されており、ベースには、電源装置の出力電圧がベース電流制限抵抗を介して印加されており、メモリカードスロットにメモリカードが挿入されている状態でエミッタがＧＮＤに接続される。第３のトランジスタのエミッタがＧＮＤに接続されるとベース電流が流れてＯＮ状態になり、コレクタ電流が流れて電源制御端子がＧＮＤ電位になり、電源装置の出力電圧が定格電圧となる。
【００２６】
第４のトランジスタは、コレクタに第３のトランジスタのベースが接続されており、エミッタがＧＮＤに接続されている。また、第４のトランジスタは、電源装置の出力電圧が定格電圧のときは、ベース電流が流れてＯＮ状態になり、電源装置の出力電圧が待機電圧のときは、ベース電流が流れずＯＦＦ状態になるように、電源装置の出力電圧が分圧されてベースに印加されている。第４のトランジスタがＯＮ状態になると、コレクタ電流が流れて第３のトランジスタのベースがＧＮＤ電位になり、第３のトランジスタのベース電流が遮断されて第３のトランジスタがＯＦＦ状態になる。
【００２７】
電子機器の電源がＯＮの状態で電源装置の出力電圧が定格電圧になっている状態では、第４のトランジスタがＯＮ状態であり、第３のトランジスタは、ＯＮ状態の第４のトランジスタによってベース電流が遮断されてＯＦＦ状態になる。電子機器の電源がＯＮの状態でメモリカードスロットにメモリカードが挿入された状態から電源スイッチを操作してマイコン制御装置がＧＮＤ電位に保持している電源装置の電源制御端子をハイインピーダンスにして電源装置の出力電圧を待機電圧にすると、第４のトランジスタはＯＦＦ状態になる。それによって、第３のトランジスタのベース電流が流れて第３のトランジスタがＯＮ状態になる。第３のトランジスタのコレクタに接続されている第１のトランジスタのベースがＧＮＤ電位となり、第１のトランジスタのベース電流が遮断されて第１のトランジスタがＯＦＦ状態になる。つまり、メモリカードスロットにメモリカードを挿入したままの状態で電子機器の電源をＯＦＦにすると、第１のトランジスタがＯＦＦ状態に保持されるので、電源装置の電源制御端子がハイインピーダンスに維持され電源装置の出力電圧が待機電圧に維持されることになる。したがって、メモリカードスロットにメモリカードを挿入したままの状態で電子機器の電源をＯＦＦすることができるようになる。
【００２８】
また、この状態でメモリカードスロットからメモリカードを抜き取ると、第１のトランジスタ及び第３のトランジスタは、ベース電流が遮断されてＯＦＦ状態になる。そして、電子機器の電源がＯＦＦの状態から再びメモリカードスロットにメモリカードを挿入すると、第１のトランジスタ及び第３のトランジスタがＯＮ状態になる。その際、第３のトランジスタがＯＮ状態になった時点から一定時間の間、第１のトランジスタのベース電圧がＧＮＤ電位になるのを遅延させる第２の遅延回路によって、第１のトランジスタのＯＮ状態が一定時間維持され、それによって、電源装置の電源制御端子が一定時間ＧＮＤ電位に維持される。その間に電源装置の出力電圧が定格電圧となり、第４のトランジスタがＯＮ状態になり、第１のトランジスタがＯＦＦ状態になる前に第３のトランジスタがＯＦＦ状態になって、第１のトランジスタのＯＮ状態が維持されることになる。
【００２９】
そして、電源装置の出力電圧が定格電圧となると、マイコン制御装置が動作し始め、前記所定の時間経過後に電源装置の電源制御端子がマイコン制御装置によってＧＮＤ電位に保持される。また、電源装置の出力電圧が定格電圧となると、第２のトランジスタのベース電圧が第１の遅延回路の遅延時間分遅れて第２のトランジスタがＯＮ状態になる電圧まで上昇する。第１の遅延回路の遅延時間は、第２のトランジスタのベース電圧が第２のトランジスタがＯＮ状態になる電圧に上昇するまでの時間が、少なくとも前記所定の時間を超える時間に設定されているので、電源装置の電源制御端子がマイコン制御装置によってＧＮＤ電位に保持された後に第２のトランジスタがＯＮ状態になる。
【００３０】
第２のトランジスタがＯＮ状態になることによって、第１のトランジスタのベース電流が遮断され、メモリカードスロットのメモリカードの有無に関わらず第１のトランジスタがＯＦＦ状態になり、第１のトランジスタのコレクタ電流が流れない状態になる。第１のトランジスタがＯＦＦ状態になって、電源装置の電源制御端子が接続されている第１のトランジスタのコレクタがハイインピーダンスになっても既にマイコン制御装置が動作した状態で電源装置の電源制御端子をＧＮＤ電位に保持しているので、電源装置の出力電圧が定格電圧に維持される。したがって、この状態でメモリカードスロットからメモリカードを抜いても電子機器の電源ＯＮ状態が維持されることになる。
【００３１】
【発明の実施の形態】
以下、本願発明の一実施の形態を図面に基づいて説明する。
図１は、本願発明に係る電子機器の電源制御回路を示した回路図である。
【００３２】
電源装置１は、公知の定電圧スイッチング電源装置であり、入力された交流電圧を直流電圧に変換して出力する構成を成している。電源装置１は、直流電圧が出力される端子Ｖ＋と、ＧＮＤ電位となる端子ＧＮＤと、電源制御端子ＰＣとを備えており、電源制御端子ＰＣをＧＮＤ電位にすると、端子Ｖ＋にＤＣ４２Ｖの定格電圧が出力され、電源制御端子ＰＣをハイインピーダンスにすると、端子Ｖ＋に出力される電圧が待機電圧のＤＣ３Ｖに低下する。電源制御端子ＰＣとＧＮＤとの間には、操作状態時のみ接点が構成されるモーメンタリスイッチの電源スイッチＳＷ１を有する電源スイッチ回路４が配設されている。電源装置１の出力電圧は、電源装置１の出力電圧をマイコン制御装置１０の動作電圧の直流電圧に変換するための公知のＤＣ−ＤＣコンバータ２に供給される。ＤＣ−ＤＣコンバータ２の入力電圧（Ｖｉｎ）が電源装置１の定格電圧ＤＣ４２Ｖになると、ＤＣ−ＤＣコンバータ２の出力電圧（Ｖｏｕｔ）がマイコン制御装置１０の動作電圧になってマイコン制御装置１０が動作し、ＤＣ−ＤＣコンバータ２の入力電圧（Ｖｉｎ）が電源装置１の待機電圧ＤＣ３Ｖになると、ＤＣ−ＤＣコンバータ２の出力電圧（Ｖｏｕｔ）が略０Ｖとなりマイコン制御装置１０が停止する。マイコン制御装置１０は、マイクロコンピュータ及びその周辺回路等を備え、マイクロコンピュータにて電子機器１００の制御プログラムを実行して電子機器１００の制御を行う公知の制御装置である。
【００３３】
電源スイッチＳＷ１の接点が構成されると、電源制御端子ＰＣがＧＮＤに短絡され、電源装置１の出力電圧が定格電圧ＤＣ４２Ｖとなる。また、マイコン制御装置１０の制御出力ポートＯＰが電源制御端子ＰＣに接続されており、電源装置１の出力電圧が定格電圧ＤＣ４２Ｖになると、ＤＣ−ＤＣコンバータ２の出力電圧がマイコン制御装置１０の動作電圧になって、マイコン制御装置１０が動作し始める。マイコン制御装置１０は、故障診断等の所定の初期制御手順を実行した後、電子機器１００の制御が可能な状態になった時点で出力制御端子ＯＰをＬｏｗ（ＧＮＤ電位）にして電源制御端子ＰＣをＧＮＤ電位に保持する（電源制御保持手段）。それによって、電源スイッチＳＷ１の接点が構成されていない状態になってもマイコン制御装置１０によって、電源制御端子ＰＣがＧＮＤ電位に保持され、電源装置１の出力電圧がＤＣ４２Ｖに維持されて電子機器１００の電源ＯＮ状態が維持される。また、電源スイッチＳＷ１は、複数の接点を有しており、マイコン制御装置１０には、電源スイッチＳＷ１の他の接点が入力されていて、電源スイッチＳＷ１の操作状態をマイコン制御装置１０で検出することができるようになっている。マイコン制御装置１０は、電子機器１００の電源がＯＮ状態で電源スイッチＳＷ１が操作されたことを検出すると、ＧＮＤ電位に保持している電源制御端子ＰＣをハイインピーダンスにして電源装置１の出力電圧を定格電圧ＤＣ４２Ｖから待機電圧ＤＣ３Ｖに切り換えて電子機器１００の電源をＯＦＦ状態に制御する（電源制御停止手段）。
【００３４】
次に、電源制御回路１１について説明する。
電源制御回路１１は、電源装置１が待機電圧出力状態であっても電子機器１００に搭載されているメモリカードスロット３にメモリカードが所定の挿入位置まで挿入されたことを検出するためのメモリカード検出回路１２と、電源装置１が待機電圧出力状態の時にメモリカード検出回路１２にてメモリカードスロット３にメモリカードが所定の挿入位置まで挿入されたことを検出した際に、電源装置１を定格電圧出力状態に制御するための自動電源ＯＮ制御回路１３とを有している。メモリカード検出回路１２は、メモリカードスロット３のカードディテクト端子ＣＤとダイオードＤ１とを有している。カードディテクト端子ＣＤは、メモリカードスロット３にメモリカードが所定の位置まで挿入された時点で接点が構成され、ダイオードＤ１は、電流の逆流を防止するために設けられている。
【００３５】
自動電源ＯＮ制御回路１３は、「第１のトランジスタ」としてのトランジスタＱ１と、「第２のトランジスタ」としてのトランジスタＱ２と、「第１の遅延回路」としてのＲＣ積分回路１３１とを有する回路構成を成している。トランジスタＱ１は、コレクタが電源制御端子ＰＣに接続されており、エミッタがメモリカード検出回路１２のダイオードＤ１のアノード側に接続されており、ベースには、電源装置１の端子Ｖ＋が抵抗Ｒ６を介して接続されて電源装置１の出力電圧が印加されている。抵抗Ｒ６は、トランジスタＱ１のベース電流、及びトランジスタＱ２のコレクタ電流を制限するための抵抗である。トランジスタＱ１は、電源装置１の出力電圧が定格電圧ＤＣ４２Ｖであっても待機電圧ＤＣ３Ｖであってもメモリカードスロット３にメモリカードが所定の位置まで挿入されてカードディテクト端子ＣＤの接点が構成されるとエミッタがＧＮＤに短絡されてベース電流が流れてＯＮ状態になる。
【００３６】
トランジスタＱ２は、コレクタがトランジスタＱ１のベースに接続されており、エミッタがＧＮＤに接続されており、ベースには、ツェナーダイオードＺＤ１のツェナー電圧以下まで低下した電源装置１の出力電圧が抵抗Ｒ７を介して抵抗Ｒ４と抵抗Ｒ５とで分圧されて印加されている。抵抗Ｒ７は、トランジスタＱ２のベース電流及びツェナーダイオードＺＤ１のツェナー電流を制限するための抵抗である。抵抗Ｒ４と抵抗Ｒ５とによる分圧比は、電源装置１の出力電圧が定格電圧ＤＣ４２Ｖである場合には、トランジスタＱ２のベース電流が流れてトランジスタＱ２がＯＮ状態になり、電源装置１の出力電圧が待機電圧ＤＣ３Ｖである場合には、トランジスタＱ２のベース電流が流れずトランジスタＱ２がＯＦＦ状態になる分圧比に設定されている。ＲＣ積分回路１３１は、抵抗Ｒ４と抵抗Ｒ７とコンデンサＣ２とで構成された公知の積分回路である。抵抗Ｒ４と抵抗Ｒ７の直列抵抗値とコンデンサＣ２の容量とによるＲＣ積分回路１３１の時定数は、電源装置１の出力電圧が待機電圧ＤＣ３Ｖから定格電圧ＤＣ４２Ｖになった時点からトランジスタＱ２がＯＮ状態になる電圧までトランジスタＱ２のベースの電圧が上昇するのに約１秒間かかるように設定されている。
【００３７】
電源制御回路１１は、電源装置１が待機電圧出力状態で電子機器１００の電源がＯＦＦの状態であり、メモリカードスロット３にメモリカードが所定の位置まで挿入されていない状態では、トランジスタＱ１及びトランジスタＱ２がＯＦＦ状態になっている。この状態からメモリカードスロット３にメモリカードを所定の位置まで挿入した時点で、カードディテクト端子ＣＤの接点が構成され、トランジスタＱ１は、エミッタがＧＮＤに短絡されてベース電流が流れてＯＮ状態になる。トランジスタＱ１がＯＮ状態になると、トランジスタＱ１のコレクタ電流が流れて、トランジスタＱ１のコレクタが接続されている電源装置１の電源制御端子ＰＣが電源スイッチＳＷ１の操作時と同様にＧＮＤ電位になる。それによって、電源装置１の出力電圧状態が待機電圧出力状態から定格電圧出力状態に切り換わり、端子Ｖ＋に定格電圧ＤＣ４２Ｖが出力される。電源装置１の出力電圧が待機電圧ＤＣ３Ｖから定格電圧ＤＣ４２Ｖに上昇した時点で、ＤＣ−ＤＣコンバータ２の出力電圧が出力されるようになり、ＤＣ−ＤＣコンバータ２からマイコン制御装置１０へ電源が供給されるようになりマイコン制御装置１０が動作し始める。前述したように、マイコン制御装置１０は、動作し始めると、故障診断等の所定の初期制御手順を実行した後、電子機器１００の制御が可能な状態になった時点で出力制御端子ＯＰをＬｏｗ（ＧＮＤ電位）にして電源制御端子ＰＣをＧＮＤ電位に保持する（電源制御保持手段）。
【００３８】
また、自動電源ＯＮ制御回路１３は、ＲＣ積分回路１３１によって、トランジスタＱ１が少なくともマイコン制御装置１０が電子機器１００の故障診断等のイニシャル処理制御を実行するのに必要な所定時間を超える時間、メモリカードスロットにメモリカードが所定の挿入位置まで挿入された時点から電源制御端子ＰＣをＧＮＤ電位にした後、電源制御端子をハイインピーダンスにする回路構成を成している。電源装置１の出力電圧が待機電圧ＤＣ３Ｖから定格電圧ＤＣ４２Ｖに上昇した時点で、トランジスタＱ２のベース電圧は、ＲＣ積分回路１３１の時定数によって、コンデンサＣ２に充電されながら上昇していき、約１秒後にＯＦＦ状態のトランジスタＱ２がＯＮ状態になる。トランジスタＱ２がＯＮ状態になるとトランジスタＱ２のコレクタ電流が流れるようになり、トランジスタＱ２のコレクタが接続されているトランジスタＱ１のベースがＧＮＤ電位となり、トランジスタＱ１のベース電流が遮断されて流れなくなってトランジスタＱ１がＯＦＦ状態になる。トランジスタＱ１がＯＦＦ状態になると、トランジスタＱ１のコレクタ電流が流れなくなり、電源装置１の電源制御端子ＰＣが接続されているトランジスタＱ１のコレクタがハイインピーダンスになる。
【００３９】
この時点で電源制御端子ＰＣは、既にマイコン制御装置１０によってＧＮＤ電位に保持されているので、トランジスタＱ１がＯＦＦ状態になってトランジスタＱ１のコレクタがハイインピーダンスになっても電源制御端子ＰＣがＧＮＤ電位に保持され、電源装置１の出力電圧がＤＣ４２Ｖに維持されて電子機器１００の電源ＯＮ状態が維持される。したがって、この状態でメモリカードスロット３からメモリカードを抜いても電子機器１００の電源ＯＮ状態が維持されることになる。尚、ＲＣ積分回路１３１の時定数は、電源装置１の出力電圧が定格電圧ＤＣ４２Ｖになった時点からマイコン制御装置１０が電源制御端子ＰＣをＧＮＤ電位に保持するまでの時間より長い時間に設定する必要があり、その範囲において十分な時間的余裕があり、かつ可能な限りに短い時間に設定されているのがより好ましい。
【００４０】
また、電源制御回路１１は、メモリカードスロット３にメモリカードが所定の挿入位置まで挿入された状態で電源スイッチＳＷ１を操作して、電源装置１を待機電圧出力状態にして電子機器１００の電源をＯＦＦ状態にした際に、電源装置１を待機電圧出力状態に保持する待機状態保持回路１４を有している。待機状態保持回路１４は、「第３のトランジスタ」としてのトランジスタＱ３と、「第４のトランジスタ」としてのトランジスタＱ４と、「第２の遅延回路」としてのＲＣ積分回路１４１とを有する回路構成を成している。
【００４１】
トランジスタＱ３は、コレクタがトランジスタＱ１のベースに接続されており、エミッタがメモリカード検出回路１２のダイオードＤ１のアノード側に接続されており、ベースには、電源装置１の端子Ｖ＋が抵抗Ｒ３を介して接続されて電源装置１の出力電圧が印加されている。抵抗Ｒ３は、トランジスタＱ３のベース電流、及びトランジスタＱ４のコレクタ電流を制限するための抵抗である。トランジスタＱ３は、電源装置１の出力電圧が定格電圧ＤＣ４２Ｖであっても待機電圧ＤＣ３Ｖであってもメモリカードスロット３にメモリカードが所定の位置まで挿入されてカードディテクト端子ＣＤの接点が構成されるとエミッタがＧＮＤに短絡されてベース電流が流れてＯＮ状態になる。
【００４２】
トランジスタＱ４は、コレクタがトランジスタＱ３のベースに接続されており、エミッタがＧＮＤに接続されており、ベースには、電源装置１の出力電圧が抵抗Ｒ１を介して抵抗Ｒ１と抵抗Ｒ２とで分圧されて印加されている。抵抗Ｒ１は、トランジスタＱ４のベース電流を制限するための抵抗であるとともに、抵抗Ｒ２とで分圧回路を構成している。抵抗Ｒ１と抵抗Ｒ２とによる分圧比は、電源装置１の出力電圧が定格電圧ＤＣ４２Ｖである場合には、トランジスタＱ４のベース電流が流れてトランジスタＱ４がＯＮ状態になり、電源装置１の出力電圧が待機電圧ＤＣ３Ｖである場合には、トランジスタＱ４のベース電流が流れずトランジスタＱ４がＯＦＦ状態になる分圧比に設定されている。ＲＣ積分回路１４１は、抵抗Ｒ８とコンデンサＣ１とで構成された公知の積分回路である。
【００４３】
電源制御回路１１は、電子機器１００の電源がＯＮの状態で電源装置１の出力電圧が定格電圧ＤＣ４２Ｖとなっている状態では、トランジスタＱ４がＯＮ状態であり、トランジスタＱ３は、ＯＮ状態のトランジスタＱ４によってベース電流が遮断されてＯＦＦ状態になっている。メモリカードスロット３にメモリカードが所定の挿入位置まで挿入された状態で電源スイッチＳＷ１を操作すると、マイコン制御装置１０は、Ｌｏｗ（ＧＮＤ電位）に保持していた出力制御端子ＯＰをＨｉｇｈ（ハイインピーダンス）にする。それによって、マイコン制御装置１０の出力制御端子ＯＰによってＧＮＤ電位に保持されていた電源制御端子ＰＣがハイインピーダンスになり、電源装置１の出力電圧が定格電圧ＤＣ４２Ｖから待機電圧ＤＣ３Ｖに低下して電子機器１００の電源がＯＦＦ状態になる。
【００４４】
待機状態保持回路１４は、電源装置１の出力電圧が定格電圧ＤＣ４２Ｖから待機電圧ＤＣ３Ｖに低下すると、トランジスタＱ４がＯＦＦ状態になり、トランジスタＱ３のベース電流が流れてトランジスタＱ３がＯＮ状態になる。トランジスタＱ３がＯＮ状態になると、トランジスタＱ３のコレクタ電流が流れてトランジスタＱ１のベースの電位がＧＮＤ電位となり、トランジスタＱ１のベース電流が遮断されてトランジスタＱ１がＯＦＦ状態になる。そして、この状態でメモリカードスロット３からメモリカードを抜き取ると、トランジスタＱ１及びトランジスタＱ３は、ベース電流が遮断されてＯＦＦ状態になる。このように、メモリカードスロット３にメモリカードを挿入したままの状態で電子機器１００の電源をＯＦＦにすると、ＯＮ状態のトランジスタＱ３によってトランジスタＱ１がＯＦＦ状態に保持されるので、電源装置１の電源制御端子ＰＣがハイインピーダンスに維持されて電源装置１の出力電圧が待機電圧ＤＣ３Ｖに維持されることになり、メモリカードスロット３にメモリカードを挿入したままの状態で電子機器１００の電源をＯＦＦ状態にすることができる。
【００４５】
また、電源制御回路１１は、電子機器１００の電源がＯＦＦの状態からメモリカードスロット３にメモリカードを挿入すると、自動電源ＯＮ制御回路１３のトランジスタＱ１と、待機状態保持回路１４のトランジスタＱ３が略同時にＯＮ状態になる。トランジスタＱ３がＯＮ状態になってトランジスタＱ３のコレクタ電流が流れ始めた時点から、ＲＣ積分回路１４１による遅延時間だけトランジスタＱ１がＯＮ状態になる電圧にトランジスタＱ１のベースの電位が維持される。つまり、メモリカードスロット３にメモリカードが所定の位置まで挿入された時点からＲＣ積分回路１４１のコンデンサＣ１が放電する電流によってトランジスタＱ１がＯＮ状態に維持される。その間に、電源装置１の出力電圧が定格電圧ＤＣ４２Ｖに上昇してトランジスタＱ４がＯＮ状態になり、トランジスタＱ３がＯＦＦ状態になる。トランジスタＱ３がＯＦＦ状態になることによって、ＲＣ積分回路１４１による遅延時間が経過した後もトランジスタＱ１のベース電流が流れてトランジスタＱ１のＯＮ状態が維持される。
【００４６】
そして、前述したように、電源装置１の出力電圧が待機電圧ＤＣ３Ｖから定格電圧ＤＣ４２Ｖに上昇した時点で、ＤＣ−ＤＣコンバータ２の出力電圧が出力されるようになり、ＤＣ−ＤＣコンバータ２からマイコン制御装置１０へ電源が供給されるようになりマイコン制御装置１０が動作し始め、マイコン制御装置１０は、故障診断等の所定の初期制御手順を実行した後、電子機器１００の制御が可能な状態になった時点で出力制御端子ＯＰをＬｏｗ（ＧＮＤ電位）にして電源制御端子ＰＣをＧＮＤ電位に保持する（電源制御保持手段）。同時に、トランジスタＱ２のベース電圧がＲＣ積分回路１３１の時定数によって、コンデンサＣ２に充電されながら上昇していき、約１秒後にＯＦＦ状態のトランジスタＱ２がＯＮ状態になる。トランジスタＱ２がＯＮ状態になるとトランジスタＱ２のコレクタ電流が流れるようになり、トランジスタＱ２のコレクタが接続されているトランジスタＱ１のベースがＧＮＤ電位となり、トランジスタＱ１のベース電流が遮断されて流れなくなってトランジスタＱ１がＯＦＦ状態になる。この時点で電源制御端子ＰＣは、既にマイコン制御装置１０によってＧＮＤ電位に保持されているので、トランジスタＱ１がＯＦＦ状態になってトランジスタＱ１のコレクタがハイインピーダンスになっても電源制御端子ＰＣがＧＮＤ電位に保持され、電源装置１の出力電圧がＤＣ４２Ｖに維持されて電子機器１００の電源ＯＮ状態が維持される。また、メモリカードスロット３からメモリカードを抜いても電子機器１００の電源ＯＮ状態が維持される。
【００４７】
尚、抵抗Ｒ８の抵抗値とコンデンサＣ１の容量とによるＲＣ積分回路１４１の時定数は、電源装置１の出力電圧が待機電圧ＤＣ３Ｖから定格電圧ＤＣ４２ＶになってトランジスタＱ３がＯＮ状態になった時点から一定時間の間、トランジスタＱ１のベース電圧がＧＮＤ電位になるのを遅延させてトランジスタＱ１のＯＮ状態を一定時間維持し、トランジスタＱ１がＯＦＦ状態になる前にトランジスタＱ３がＯＦＦ状態になり、トランジスタＱ１のＯＮ状態が維持されるように設定すれば良い。つまり、ＲＣ積分回路１４１による遅延時間は、トランジスタＱ３がＯＮ状態になってからトランジスタＱ１がＯＦＦ状態になる前にトランジスタＱ４がＯＮ状態になる時間だけで良く、トランジスタＱ４がＯＦＦ状態からＯＮ状態になるまでの極めて短い動作時間だけトランジスタＱ１のベース電圧をトランジスタＱ１がＯＮ状態になる電圧に維持できる時間であれば良い。
【００４８】
図２は、電源制御回路１１のトランジスタＱ１〜Ｑ４の動作を示したタイミングチャートである。ここでは、電子機器１００の電源のＯＮ／ＯＦＦ状態、及びメモリカードスロット３へのメモリカードの挿入状態毎に、電源制御回路１１におけるトランジスタＱ１〜Ｑ４の動作状態を説明する。
【００４９】
電子機器１００の電源がＯＦＦ状態、つまり、電源装置１の出力電圧が待機電圧ＤＣ３Ｖになっている状態で、メモリカードスロット３にメモリカードが挿入されていない状態から、メモリカードスロット３にメモリカードを所定の挿入位置まで挿入すると（タイミングＴ１）、トランジスタＱ１及びトランジスタＱ３は、ベース電流が流れてＯＦＦ状態からＯＮ状態になる。トランジスタＱ１がＯＮ状態になることによってトランジスタＱ１のコレクタ電流が流れ、電源装置１の電源制御端子ＰＣがＧＮＤ電位になる。電源装置１の電源制御端子ＰＣがＧＮＤ電位になると、電源装置１の出力電圧が待機電圧ＤＣ３Ｖから定格電圧ＤＣ２４Ｖに切り換わる（タイミングＴ２）。
【００５０】
電源装置１の出力電圧が待機電圧ＤＣ３Ｖから定格電圧ＤＣ２４Ｖになると、トランジスタＱ４は、ベース電流が流れてＯＦＦ状態からＯＮ状態になる。トランジスタＱ４がＯＮ状態になり、トランジスタＱ４のコレクタ電流が流れると、トランジスタＱ３は、ベース電流が遮断されてＯＦＦ状態になる。トランジスタＱ３がＯＮ状態でトランジスタＱ３のコレクタ電流が流れている間、トランジスタＱ１は、ＲＣ積分回路１４１によってベース電流が流れてＯＮ状態が維持される。トランジスタＱ２のベース電圧は、ＲＣ積分回路１３１によってゆるやかに上昇し始めるが、この時点においては、まだトランジスタＱ２がＯＮ状態になるベース電圧には到達していない。符号Ａで示した時間（タイミングＴ１〜タイミングＴ２までの時間）は、電源装置１の電源制御端子ＰＣがＧＮＤ電位になった時点から電源装置１の出力電圧が定格電圧ＤＣ２４Ｖに切り換わるまでの時間、トランジスタＱ４がＯＦＦ状態からＯＮ状態に切り換わるまでの時間、及びトランジスタＱ３がＯＮ状態からＯＦＦ状態に切り換わるまでの時間を加算した時間となる。
【００５１】
電源装置１の出力電圧が待機電圧ＤＣ３Ｖから定格電圧ＤＣ２４Ｖになった時点からマイコン制御装置１０が動作し始め（タイミングＴ２）、マイコン制御装置１０は、故障診断等の所定の初期制御手順を実行した後、電子機器１００の制御が可能な状態になった時点で出力制御端子ＯＰをＬｏｗ（ＧＮＤ電位）にして電源制御端子ＰＣをＧＮＤ電位に保持する（タイミングＴ３）。符号Ｂで示した時間（タイミングＴ２〜タイミングＴ３までの時間）は、電源装置１の定格電圧ＤＣ２４ＶがＤＣ−ＤＣコンバータ２に入力されてからマイコン制御装置１０の動作電圧がＤＣ−ＤＣコンバータ２から出力されるまでの時間、及びマイコン制御装置１０が動作し始めてからマイコン制御装置１０が出力制御端子ＯＰをＬｏｗ（ＧＮＤ電位）にするまでの時間を加算した時間となる。
【００５２】
そして、トランジスタＱ２がＯＮ状態になる電圧までトランジスタＱ２のベース電圧が上昇すると（タイミングＴ４）、トランジスタＱ２がＯＦＦ状態からＯＮ状態になり、トランジスタＱ２のコレクタ電流が流れてトランジスタＱ１のベース電流が遮断され、トランジスタＱ１がＯＮ状態からＯＦＦ状態になる。符号Ｃで示した時間（タイミングＴ２〜タイミングＴ４までの時間）は、ＲＣ積分回路１３１によるトランジスタＱ２の動作遅れ時間であり、当該実施の形態においては、約１秒に設定されている。トランジスタＱ１がＯＦＦ状態になってもマイコン制御装置１０の出力制御端子ＯＰによって、電源装置１の電源制御端子ＰＣがＧＮＤ電位に保持される。このようにして、電子機器１００の電源がＯＦＦ状態のときに、メモリカードスロット３にメモリカードを所定の挿入位置まで挿入することによって、電子機器１００の電源が自動的にＯＮ状態になる。
【００５３】
電子機器１００の電源がＯＮ状態、つまり、電源装置１の出力電圧が定格電圧ＤＣ２４Ｖになっている状態で、メモリカードスロット３にメモリカードが挿入されている状態から、電子機器１００の電源スイッチＳＷ１を操作すると（タイミングＴ５〜タイミングＴ６）、マイコン制御装置１０は、出力制御端子ＯＰの出力制御をＬｏｗ（ＧＮＤ電位）からＨｉｇｈ（ハイインピーダンス）に切り換える（タイミングＴ５）。出力制御端子ＯＰがハイインピーダンスになると、トランジスタＱ１がＯＦＦ状態になっているため、電源装置１の電源制御端子ＰＣがハイインピーダンスになり、電源スイッチＳＷ１の操作後（タイミングＴ６）、電源装置１の出力電圧が定格電圧ＤＣ２４Ｖから待機電圧ＤＣ３Ｖに低下する。符号Ｄで示した時間（タイミングＴ５〜タイミングＴ６までの時間）は、電源スイッチＳＷ１を操作している時間である。電源装置１の出力電圧が定格電圧ＤＣ２４Ｖから待機電圧ＤＣ３Ｖに低下することによって、トランジスタＱ２及びトランジスタＱ４は、ベース電流が流れなくなってＯＦＦ状態になる。トランジスタＱ４がＯＮ状態になることによって、トランジスタＱ３は、ベース電流が流れてＯＮ状態になる。トランジスタＱ１は、トランジスタＱ３がＯＮ状態なので、ＯＦＦ状態のままとなる。したがって、メモリカードスロット３にメモリカードが所定の挿入位置まで挿入された状態のまま電源スイッチ１を操作して、電子機器１００の電源をＯＮ状態からＯＦＦ状態にした場合には、トランジスタＱ２がＯＦＦ状態になってもトランジスタＱ１がＯＮ状態にならないので、電子機器１００の電源が自動的にＯＮ状態にならない。
【００５４】
電子機器１００の電源がＯＦＦ状態、つまり、電源装置１の出力電圧が待機電圧ＤＣ３Ｖになっている状態で、メモリカードスロット３にメモリカードが挿入されている状態から、電子機器１００の電源スイッチＳＷ１を操作すると（タイミングＴ７〜タイミングＴ１０）、電源スイッチＳＷ１の接点が構成されて、電源装置１の電源制御端子ＰＣがＧＮＤに短絡される。それによって、トランジスタＱ１の動作状態に関わらず、電源装置１の電源制御端子ＰＣがＧＮＤ電位になり、電源装置１の出力電圧が待機電圧ＤＣ３Ｖから定格電圧ＤＣ２４Ｖに切り換わる（タイミングＴ８）。その時点からマイコン制御装置１０が動作し始め、マイコン制御装置１０は、故障診断等の所定の初期制御手順を実行した後、電子機器１００の制御が可能な状態になった時点で出力制御端子ＯＰをＬｏｗ（ＧＮＤ電位）にして、電源制御端子ＰＣをＧＮＤ電位に保持する（タイミングＴ９）。電源スイッチＳＷ１の操作後（タイミングＴ１０）、電源スイッチＳＷ１の接点が構成されていない状態になっても電源制御端子ＰＣがマイコン制御装置１０によってＧＮＤ電位に保持される。
【００５５】
電子機器１００の電源がＯＮ状態、つまり、電源装置１の出力電圧が定格電圧ＤＣ２４Ｖになっている状態で、メモリカードスロット３にメモリカードが挿入されている状態から、メモリカードスロット３からメモリカードを抜き取っても電子機器１００の電源はＯＮ状態のまま維持される。また、トランジスタＱ１〜Ｑ４の動作状態は、変化しない（タイミングＴ１１）。そして、電子機器１００の電源がＯＦＦ状態、つまり、電源装置１の出力電圧が待機電圧ＤＣ３Ｖになっている状態で、メモリカードスロット３にメモリカードが挿入されていない状態から、電子機器１００の電源スイッチＳＷ１を操作すると（タイミングＴ１２〜タイミングＴ１３）、マイコン制御装置１０は、出力制御端子ＯＰの出力制御をＬｏｗ（ＧＮＤ電位）からＨｉｇｈ（ハイインピーダンス）に切り換える（タイミングＴ１２）。出力制御端子ＯＰがハイインピーダンスになると、トランジスタＱ１がＯＦＦ状態になっているため、電源装置１の電源制御端子ＰＣがハイインピーダンスになり、電源スイッチＳＷ１の操作後（タイミングＴ１３）、電源装置１の出力電圧が定格電圧ＤＣ２４Ｖから待機電圧ＤＣ３Ｖに低下する。電源装置１の出力電圧が待機電圧ＤＣ３Ｖに低下することによって、マイコン制御装置１０が停止し、電子機器１００の電源がＯＦＦ状態になる。
【００５６】
このようにして、電子機器１００の電源がＯＦＦ状態でマイコン制御装置１０が停止してほとんど電力を消費しない状態で、メモリカードスロット３にメモリカードが挿入すると、自動電源ＯＮ制御回路１３によって電源装置１が定格電圧出力状態に制御されて電子機器１００の電源が自動的にＯＮ状態にすることができる。それによって、電子機器１００の操作の簡素化を図ることができるとともに、メモリカードスロットにメモリカードが所定の挿入位置まで正確に挿入されたことを容易に知ることができるようになる。
【００５７】
尚、本願発明は上記実施例に限定されることなく、特許請求の範囲に記載した発明の範囲内で、種々の変形が可能であり、それらも本願発明の範囲内に含まれるものであることは言うまでもない。
【図面の簡単な説明】
【図１】電子機器の電源制御回路を示した回路図である。
【図２】各トランジスタの動作を示したタイミングチャートである。
【符号の説明】
１  電源装置、２  ＤＣ−ＤＣコンバータ、３  メモリカードスロット、１０  マイコン制御装置、１１  電源制御回路、１２  メモリカード検出回路、１３  自動電源ＯＮ制御回路、１４  待機状態保持回路、１００  電子機器、１３１、１４１  ＲＣ積分回路、Ｑ１〜Ｑ４  トランジスタ、ＳＷ１  電源スイッチ、ＣＤ  カードディテクト端子
【図１】
2005010876.tif 000003
【図２】
2005010876.tif 000004